(57)【要約】【課題】取得するコンテンツに対してマーキングを行うと共に、マーキングに応じたコンテンツの取得処理を行うことが可能なコンテンツ取得装置及びプログラムを提供する。【解決手段】コンテンツを取得する取得部と、前記取得部による前記コンテンツの取得の際に、少なくとも２種類のブックマーク指示を認識する認識部と、前記認識部により第１のブックマーク指示が認識された場合に、対応する時刻に前記取得部により取得された前記コンテンツに前記コンテンツの再生時のしおりとなるブックマークを付与し、前記認識部により第２のブックマーク指示が認識された場合に、対応する時刻に前記取得部により取得された前記コンテンツに前記ブックマークを付与すると共に、前記取得部の動作モードを切り替える制御部と、を備えるコンテンツ取得装置。【選択図】図１
2014086849.tif 000002
【特許請求の範囲】
【請求項１】
コンテンツを取得する取得部と、
前記取得部による前記コンテンツの取得の際に、少なくとも２種類のブックマーク指示を認識する認識部と、
前記認識部により第１のブックマーク指示が認識された場合に、対応する時刻に前記取得部により取得された前記コンテンツに前記コンテンツの再生時のしおりとなるブックマークを付与し、前記認識部により第２のブックマーク指示が認識された場合に、対応する時刻に前記取得部により取得された前記コンテンツに前記ブックマークを付与すると共に、前記取得部の動作モードを切り替える制御部と、
を備えるコンテンツ取得装置。
【請求項２】
前記制御部は、前記認識部により前記第２のブックマーク指示が認識された場合に、前記取得部の動作モードを、通常の動作モードよりも高品質なコンテンツを取得可能な動作モードに切り替える、請求項１に記載のコンテンツ取得装置。
【請求項３】
前記コンテンツ取得装置は、前記認識部により認識された前記ブックマーク指示の種類を出力する出力部をさらに備える、請求項１に記載のコンテンツ取得装置。
【請求項４】
前記制御部は、前記取得部の動作モードを切り替えた後、前記認識部により所定のブックマーク指示が認識された場合に、前記動作モードを切り替え前の動作モードに復帰させる、請求項１に記載のコンテンツ取得装置。
【請求項５】
前記制御部は、前記認識部により前記ブックマーク指示が認識され、前記コンテンツに前記ブックマークを付与した後に、前記認識部により所定のブックマーク指示が認識された場合に、当該ブックマークを削除する、請求項１に記載のコンテンツ取得装置。
【請求項６】
前記制御部は、前記認識部により第２のブックマーク指示が認識された時刻から所定時間経過後に前記取得部により取得された前記コンテンツに、前記ブックマークを付与する、請求項１に記載のコンテンツ取得装置。
【請求項７】
前記制御部は、前記認識部により前記第１のブックマーク指示が認識された時刻から所定の時間前の時刻に前記取得部により取得された前記コンテンツに、前記ブックマークを付与する、請求項１に記載のコンテンツ取得装置。
【請求項８】
前記認識部は、前記第１のブックマーク指示および第２のブックマーク指示が、肯定的ブックマークまたは否定的ブックマークのどちらのブックマークの付与を指示するブックマーク指示であるかをさらに認識し、
前記制御部は、前記認識部による認識結果に応じて、前記コンテンツに前記肯定的ブックマークまたは前記否定的ブックマークを付与する、請求項１に記載のコンテンツ取得装置。
【請求項９】
前記コンテンツ取得装置は、前記認識部により認識された前記ブックマーク指示の種類を出力する出力部をさらに備え
前記出力部は、前記第１のブックマーク指示および第２のブックマーク指示が、前記肯定的ブックマークまたは前記否定的ブックマークのどちらのブックマークの付与を指示するブックマーク指示であるかを出力する、請求項８に記載のコンテンツ取得装置。
【請求項１０】
前記認識部は、前記取得部による前記コンテンツの取得の際に、リアルタイムで取得される撮像画像に映るジェスチャーに基づいて、前記ブックマーク指示を認識する、請求項１に記載のコンテンツ取得装置。
【請求項１１】
前記認識部は、前記取得部による前記コンテンツの取得の際に、リアルタイムで取得される音声の認識結果に基づいて、前記ブックマーク指示を認識する、請求項１に記載のコンテンツ取得装置。
【請求項１２】
前記認識部は、前記取得部による前記コンテンツの取得の際に、リアルタイムで取得されるユーザ操作に基づいて、前記ブックマーク指示を認識する、請求項１に記載のコンテンツ取得装置。
【請求項１３】
前記認識部は、前記取得部による前記コンテンツの取得の際に、リアルタイムで取得される加速度の変化に基づいて、前記ブックマーク指示を認識する、請求項１に記載のコンテンツ取得装置。
【請求項１４】
コンピュータに、
コンテンツを取得するステップと、
前記コンテンツの取得の際に、少なくとも２種類のブックマーク指示を認識するステップと、
第１のブックマーク指示が認識された場合に、対応する時刻に取得された前記コンテンツに前記コンテンツの再生時のしおりとなるブックマークを付与し、第２のブックマーク指示が認識された場合に、対応する時刻に取得された前記コンテンツに前記ブックマークを付与すると共に、前記コンテンツを取得する取得部の動作モードを切り替えるステップと、
を実行させるためのプログラム。
【発明の詳細な説明】
【技術分野】
【０００１】
本開示は、コンテンツ取得装置及びプログラムに関する。
【背景技術】
【０００２】
近年、一日のあらゆる行動を記録する、ライフログと呼ばれる分野が注目されている。その一例として、自分の身に装着して自動的に外界を撮影し続けるライフログカメラが知られている。ライフログカメラは、ユーザの一日のあらゆる行動を、映像、画像、音声等を組み合わせて記録することができるので、ユーザは記録されたデータを再生して楽しむことが出来る。
【０００３】
ここで、ライフログカメラによって記録されるデータは膨大であるため、データを再生する際に特定の場面を効果的に検索可能にする技術が求められている。
【０００４】
このような求めに対し、下記特許文献１では、撮影時のカメラの位置に基づいて、画像を再生する技術が開示されている。
【０００５】
また、下記特許文献２では、撮影時のズーム位置やフォーカス距離等のカメラ設定情報に基づいて映像を重み付け（マーキング）し、後にマーキングされた映像を再生する技術が開示されている。
【０００６】
また、下記特許文献３では、撮影時のカメラ制御、ボタン操作、背景や音声の変化等に基づいて映像をマーキングし、後にマーキングされた映像を再生する技術が開示されている。
【先行技術文献】
【特許文献】
【０００７】
【特許文献１】特開平１１−１８３９９６号公報
【特許文献２】特開２００９−０９４５８５号公報
【特許文献３】特開２００７−０８２０８８号公報
【発明の概要】
【発明が解決しようとする課題】
【０００８】
しかし、上記各特許文献においては、コンテンツを取得する際に得られる情報に基づいて、マーキングを行うか否かを制御しているに過ぎなかった。
【０００９】
そこで、本開示では、取得するコンテンツに対してマーキングを行うと共に、マーキングに応じたコンテンツの取得処理を行うことが可能な、新規かつ改良されたコンテンツ取得装置及びプログラムを提案する。
【課題を解決するための手段】
【００１０】
本開示によれば、コンテンツを取得する取得部と、前記取得部による前記コンテンツの取得の際に、少なくとも２種類のブックマーク指示を認識する認識部と、前記認識部により第１のブックマーク指示が認識された場合に、対応する時刻に前記取得部により取得された前記コンテンツに前記コンテンツの再生時のしおりとなるブックマークを付与し、前記認識部により第２のブックマーク指示が認識された場合に、対応する時刻に前記取得部により取得された前記コンテンツに前記ブックマークを付与すると共に、前記取得部の動作モードを切り替える制御部と、を備えるコンテンツ取得装置が提供される。
【００１１】
また、本開示によれば、コンピュータに、コンテンツを取得するステップと、前記コンテンツの取得の際に、少なくとも２種類のブックマーク指示を認識するステップと、第１のブックマーク指示が認識された場合に、対応する時刻に取得された前記コンテンツに前記コンテンツの再生時のしおりとなるブックマークを付与し、第２のブックマーク指示が認識された場合に、対応する時刻に取得された前記コンテンツに前記ブックマークを付与すると共に、前記コンテンツを取得する取得部の動作モードを切り替えるステップと、を実行させるためのプログラムが提供される。
【発明の効果】
【００１２】
以上説明したように本開示によれば、取得するコンテンツに対してマーキングを行うと共に、マーキングに応じたコンテンツの取得処理を行うことが可能である。
【図面の簡単な説明】
【００１３】
【図１】本実施形態に係る自動撮影装置の概要を説明するための説明図である。
【図２】本実施形態に係る自動撮影装置の構成を示すブロック図である。
【図３】本実施形態に係る認識部が認識するマーキング指示の一例を示した説明図である。
【図４】本実施形態に係る認識部がマーキング指示を自動的に認識する条件の一例を示した説明図である。
【図５】本実施形態に係る自動撮影装置による自動認識条件の設定例を示した説明図である。
【図６】本実施形態に係る自動撮影装置の動作の一例を説明するための説明図である。
【図７】本実施形態に係る自動撮影装置によるマーキング動作の概要を説明するための説明図である。
【図８】本実施形態に係る自動撮影装置の動作処理を示したフローチャートである。
【図９】本実施形態に係る手動マーキング処理を示したフローチャートである。
【図１０】本実施形態に係る自動マーキング処理を示したフローチャートである。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．本開示の一実施形態に係るコンテンツ取得装置の概要
２．基本構成
［２−１．システム構成］
［２−２．マーキング動作の概要］
［２−３．マーキング動作処理］
［２−４．効果］
３．まとめ
【００１６】
＜＜１．本開示の一実施形態に係るコンテンツ取得装置の概要＞＞
本開示の一実施形態に係るコンテンツ取得装置（自動撮影装置１）は、
Ａ．コンテンツを取得する取得部（撮影部１０、センサ部１１）と、
Ｂ．前記取得部による前記コンテンツの取得の際に、少なくとも２種類のブックマーク指示を認識する認識部（認識部１３）と、
Ｃ．前記認識部により第１のブックマーク指示が認識された場合に、対応する時刻に前記取得部により取得された前記コンテンツに前記コンテンツの再生時のしおりとなるブックマークを付与し、前記認識部により第２のブックマーク指示が認識された場合に、対応する時刻に前記取得部により取得された前記コンテンツに前記ブックマークを付与すると共に、前記取得部の動作モードを切り替える制御部（制御部１４）と、
を備える。
【００１７】
まず、本実施形態に係るコンテンツ取得装置の概要について、図１を参照して説明する。
【００１８】
図１は、本実施形態に係る自動撮影装置１の概要を説明するための説明図である。図１に示したように、自動撮影装置１はユーザ３に装着され、ユーザ３の一日のあらゆる行動を映像、画像、音声、またはこれらを組み合わせたコンテンツとして記憶（取得）する。このようにライフログとして利用される自動撮影装置１は、図１に示したように、撮像レンズが設けられた面が表になるようユーザ３に装着されてもよい。
【００１９】
なお、本実施形態によるコンテンツは、自動撮影装置１に設けられたカメラにより撮影された映像や、画像、また、マイクにより収音された音声、若しくはその他の各種センサにより検知された検知結果を含む。以下では説明を簡略化するために、コンテンツは映像を指すものとして説明する。
【００２０】
そして、自動撮影装置１は、ユーザ３が有名人と擦れ違う、事故に合う、綺麗な景色等の特定場面において、コンテンツを取得すると共にコンテンツに再生時のしおりとなるブックマークをマーキング（付与）することができる。このため、ユーザ３は、自動撮影装置１、または自動撮影装置１からマーキングされたコンテンツを受信した任意の情報処理装置により、ブックマークを参照してコンテンツを再生することで、特定場面のみを閲覧することができる。
【００２１】
特に、本実施形態による自動撮影装置１は、コンテンツを取得する際、ユーザ３によるマーキング指示（ブックマーク指示）をリアルタイムで認識して、取得するコンテンツにマーキングすることができる。例えば、自動撮影装置１は、ユーザ３によるボタン操作（ユーザ操作）、図１に示したようなジェスチャー、またはユーザ３の音声に基づいて、手動のマーキング指示を認識する。
【００２２】
他にも、自動撮影装置１は、コンテンツを取得する際に、所定の条件を満たすか否かに基づいてマーキング指示を自動的に認識し、取得するコンテンツにマーキングしてもよい。例えば、自動撮影装置１は、衝突、走る、歩く、座るなどの行動変化による加速度の変化、歓声、拍手、衝突音などによる音量の変化、心拍数、発汗などのバイタル情報の変化、特定エリアへの移動などによる位置情報の変化などを、マーキング指示として自動的に認識する。他にも、自動撮影装置１は、笑顔の検出、驚いた顔の検出などの表情の変化、屋内・外、ライトや花火などの演出による輝度変化、または所定の時間を経過したことを、マーキング指示として自動的に認識してもよい。
【００２３】
なお、本明細書において、自動撮影装置１がコンテンツを取得する際にリアルタイムでマーキング指示を認識するとは、コンテンツを取得すると同時、または略同時にマーキング指示を認識することを意味する。
【００２４】
ここで、自動撮影装置１は、多様な属性を有するブックマークをマーキングすることが可能である。より具体的には、自動撮影装置１は、これからが特定場面／ここまでが特定場面、良い（肯定的）／通常／悪い（否定的）、自動マーキング／手動マーキング、人に見せたい／見せたくない、人に聞かせたい／人に聞かせたくない、などの属性を有するブックマークを、コンテンツにマーキングすることができる。以下、各属性のブックマークについて詳述する。
【００２５】
例えば、自動撮影装置１は、ここまでが特定場面であったことを示すマーキング指示（第１のマーキング指示）を認識して、「ここまで」属性を有するブックマークをコンテンツにマーキングする。一方で、自動撮影装置１は、これから特定場面になることを示すマーキング指示（第２のマーキング指示）を認識して、「これから」属性を有するブックマークをコンテンツにマーキングする。そして、ユーザ３は、「ここまで」属性のブックマークがマーキングされた時刻からの、または「これから」属性のブックマークがマーキングされた時刻より前の時刻からのコンテンツを、それぞれ閲覧することができる。
【００２６】
このため、例えば図１に示したように、ユーザ３は、これから夕日が沈む、という場面でジェスチャーによるマーキング指示により「これから」属性のブックマークをコンテンツにマーキングすることができる。そして、ユーザ３は、後に「これから」属性のブックマークを参照して夕日が沈む場面を閲覧することができる。一方で、ユーザ３は、例えば先刻有名人と擦れ違った、という場面でマーキング指示により「ここまで」属性のブックマークをコンテンツにマーキングすることができる。そして、ユーザ３は、後に「ここまで」属性のブックマークを参照して有名人と擦れ違う場面を閲覧することができる。
【００２７】
さらに、自動撮影装置１は、「これから」属性のブックマークをマーキングすると共に、コンテンツ取得部の動作モードを切り替えることもできる。例えば、自動撮影装置１は、コンテンツ取得精度を向上させることで、高品質な映像や音声を取得することが出来る。このため、ユーザ３は、後に「ここまで」属性のブックマークを参照して、特定場面を通常よりも高品質な映像または音声で閲覧することができる。
【００２８】
また、自動撮影装置１は、良い場面であったことを示す「肯定的」属性のブックマーク（肯定的ブックマーク）、または悪い場面であったことを示す「否定的」属性のブックマーク（否定的ブックマーク）を、コンテンツにマーキングできる。このため、ユーザ３は、良い場面である「肯定的」属性のブックマークがマーキングされたコンテンツを閲覧することも、悪い場面である「否定的」属性のブックマークがマーキングされたコンテンツを閲覧することもできる。
【００２９】
また、自動撮影装置１は、ユーザ３が意識的にマーキング指示を出したことを示す「手動」属性のブックマークを、コンテンツにマーキングできる。また、自動撮影装置１は、自動撮影装置１が加速度変化や位置情報等に基づいて自動的にマーキング指示として認識したことを示す「自動」属性のブックマークを、コンテンツにマーキングできる。このため、ユーザ３は、自らが意識的にマーキングしたコンテンツを閲覧することも、自動撮影装置１により自動的にマーキングされたコンテンツを閲覧することもできる。
【００３０】
以上説明したブックマークの属性は、複数を組み合わせることも可能である。例えば、自動撮影装置１は、「これから」「肯定的」「手動」属性を有するブックマークをコンテンツにマーキングすることができる。
【００３１】
以上、本開示の一実施形態に係る自動撮影装置１の概要について説明した。なお、自動撮影装置１の装着方法は、図１に示したような、自動撮影装置１に取り付けられた紐でユーザ３の首に掛けられる方法に限定されない。例えば、自動撮影装置１は、ユーザ３の帽子、衣服、鞄、メガネ、サングラス等に取り付けられていてもよいし、ユーザ３の衣服のポケットに入れられてもよい。
【００３２】
続いて、本実施形態による自動撮影装置１の構成について図２〜図６を参照して詳細に説明する。
【００３３】
＜＜２．基本構成＞＞
＜２−１．システム構成＞
図２は、本実施形態に係る自動撮影装置１の構成を示すブロック図である。図２に示したように、自動撮影装置１は、撮影部１０、センサ部１１、記憶部１２、認識部１３、制御部１４、出力部１５、および入力部１６を含む。また、これらの自動撮影装置１の各構成は、バス１９を介して互いに通信する。
【００３４】
（撮影部）
撮影部１０は、撮像素子、撮像レンズを含む撮像光学系、および撮影画像信号処理部を含み、デジタル信号とされた撮影画像のデータを出力する。なお、撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。
【００３５】
（センサ部）
センサ部１１は、各種センサによる検知結果を出力する。より具体的には、図２に示すように、センサ部１１は、マイク１１１、ＧＰＳ部１１２、および速度センサ１１３を含む。
【００３６】
・マイク
マイク１１１は、周囲の音を収音し、アンプおよびＡＤＣ（Ａｎａｌｏｇ  ｔｏ  Ｄｉｇｉｔａｌ  Ｃｏｎｖｅｒｔｅｒ）等を介してデジタル信号に変換した音声データを出力する。
【００３７】
・ＧＰＳ部
ＧＰＳ部１１２は、ＧＰＳ（Ｇｌｏｂａｌ  Ｐｏｓｉｔｉｏｎｉｎｇ  Ｓｙｓｔｅｍ）衛星からの電波を受信することで、自動撮影装置１の現在位置を検知して出力する。
【００３８】
・速度センサ
速度センサ１１３は、自動撮影装置１の速度、角速度、加速度等を検知して、それぞれ出力する。
【００３９】
（記憶部）
記憶部１２は、撮影部１０およびセンサ部１１により取得されたコンテンツを、制御部１４によりマーキングされたブックマークと対応付けて記憶する。記憶部１２は、コンテンツを圧縮処理して記憶してもよい。記憶部１２は、例えばカード型メモリなどのフラッシュメモリや、ＤＶＤ（Ｄｉｇｉｔａｌ  Ｖｅｒｓａｔｉｌｅ  Ｄｉｓｃ）、ハードディスクなどの記録媒体により実現される。
【００４０】
（制御部）
制御部１４は、演算処理装置および制御装置として機能し、各種プログラムに従って自動撮影装置１内の動作全般を制御する。例えば、制御部１４は、認識部１３によりマーキング指示が認識されて出力された、マーキング指示が示すブックマークの属性を、撮影部１０により撮影された映像にマーキングする。そして、制御部１４は、マーキングした映像を記憶部１２に記憶させる。また、制御部１４は、ブックマークを参照して、特定場面だけが出力部１５により再生されるよう、コンテンツを編集してもよい。制御部１４は、例えばＣＰＵ（Ｃｅｎｔｒａｌ  Ｐｒｏｃｅｓｓｉｎｇ  Ｕｎｉｔ）、マイクロプロセッサによって実現される。なお、制御部１４は、使用するプログラムや演算パラメータ等を記憶するＲＯＭ（Ｒｅａｄ  Ｏｎｌｙ  Ｍｅｍｏｒｙ）、および適宜変化するパラメータ等を一時記憶するＲＡＭ（Ｒａｎｄｏｍ  Ａｃｃｅｓｓ  Ｍｅｍｏｒｙ）を含んでいてもよい。
【００４１】
（認識部）
認識部１３は、撮影部１０により撮影された映像、センサ部１１により検知された検知結果、入力部１６への入力に基づいて、マーキング指示を認識する。例えば、認識部１３は、撮影部１０により撮影されたユーザ３のジェスチャー、マイク１１１により収音されたユーザ３の音声、速度センサ１１３により検知された加速度等に基づいて、マーキング指示を認識する。そして、認識部１３はマーキング指示を認識した際に、マーキング指示が示すブックマークの属性を出力する。
【００４２】
以下、認識部１３により認識されるマーキング指示について具体例を用いて説明する。まず、図３を参照してユーザ３よる手動のマーキング指示について説明し、続いて図４〜５を参照して自動的に認識されるマーキング指示について説明する。
【００４３】
図３は、本実施形態に係る認識部１３が認識するマーキング指示の一例を示した説明図である。図３に示したように、自動撮影装置１は、親指を立てるジェスチャー（１）、および親指を下げるジェスチャー（２）をマーキング指示として認識し得る。このとき、認識部１３は、親指を立てるジェスチャー（１）を「肯定的」属性を有するブックマーク、親指を下げるジェスチャー（２）を「否定的」属性を有するブックマークのマーキングを指示するマーキング指示として、認識してもよい。
【００４４】
なお、同一のジェスチャーであっても、地域や文化等により異なる意味を持つ場合があるので、自動撮影装置１は、どのジェスチャーがどの属性を指示するマーキング指示であるかを設定可能である。また、ジェスチャーは、図３に示したような手によるものに限られない。
【００４５】
図４は、本実施形態に係る認識部１３がマーキング指示を自動的に認識する条件の一例を示した説明図である。図４に示したように、自動撮影装置１は、速度センサ１１３により検出される加速度急変、マイク１１１により検出される音量急変、ＧＰＳ部１１２により検出される位置情報に基づいて、マーキング指示を認識する。他にも、自動撮影装置１は、撮影部１０により撮影された映像を画像認識した結果笑顔が検出されたこと、輝度変化が検出されたこと、に基づいてマーキング指示を認識する。なお、これらの条件（２３０）を、以下では自動認識条件と呼称する。
【００４６】
また、自動撮影装置１は、自動認識条件を満たした場合にマーキングするか否か、およびマーキングするブックマークの属性を、自動認識条件ごとに設定される。例えば、マイク１１１が音量急変を検出した際には、認識部１３は、マーキングすると判定し、「否定的」「これから」属性を出力する。そして、制御部１４は、撮影部１０により撮影されたコンテンツに、「否定的」「これから」属性を有するブックマークをマーキングする。
【００４７】
ここで、これらの自動認識条件には優先順位があってもよい。例えば、音量急変と笑顔検出が同時に検知された場合に、制御部１４は音量急変を優先して、「否定的」ブックマークをマーキングしてもよい。他にも、音量急変と笑顔検出が同時に検知された場合に、制御部１４は「肯定的」属性を優先して、「肯定的」ブックマークをマーキングしてもよい。
【００４８】
なお、図４に示した自動認識条件は、例えば出力部１５により表示されてもよい。また、マーキング指示の自動認識条件は、例えば入力部１６により設定されてもよい。以下、入力部１６による条件の設定例について、図５を参照して詳細に説明する。
【００４９】
図５は、本実施形態に係る自動撮影装置１による自動認識条件の設定例を示した説明図である。図５に示したように、出力部１５の有する機能のうち映像および画像の表示機能を有する表示部１５−１は、位置情報に基づくマーキング指示の自動認識条件の設定画面１５０を表示している。ここで、表示部１５−１は、自動撮影装置１の裏、即ち撮影部１０の撮像レンズが設けられた面と逆の面に設けられてもよい。
【００５０】
ここで、例えばユーザ３が特定の位置範囲１５１を、マーキング指示の自動認識条件として設定することで、制御部１４は、自動撮影装置１が位置範囲１５１に位置する場合に、マーキング指示として自動認識し、コンテンツに所定のブックマークをマーキングする。より詳しくは、制御部１４は、ユーザ３が特定の位置範囲１５１に入った際に取得されたコンテンツに、「これから」属性を有するブックマークをマーキングしてもよい。そして、制御部１４は、ユーザ３が特定の位置範囲１５１から出た際に取得されたコンテンツに、「ここまで」属性を有するブックマークをマーキングしてもよい。
【００５１】
このように、制御部１４は、特定場面が取得される前段階であることが認識部１３により認識された場合に、対応する時刻に撮影部１０により撮影された映像に、「これから」属性を有するブックマークをマーキングしてもよい。例えば、制御部１４は、日の入りの時刻に取得されたコンテンツに、「これから」属性を有するブックマークをマーキングしてもよい。また、制御部１４は、ユーザ３が遊園地等に居る際に外部から通知されたイベントの時刻に取得されたコンテンツに、「これから」属性を有するブックマークをマーキングしてもよい。
【００５２】
（出力部）
出力部１５は、映像、画像、音楽、音声、振動、光などを出力する。例えば、出力部１５は、撮影部１０により撮影された映像や画像を出力してもよい。また、出力部１５は、記憶部１２に記憶された映像や画像を、ブックマークを参照して出力してもよい。また、出力部１５は、認識部１３によってマーキング指示が認識され、制御部１４によりマーキングされたこと、およびマーキング指示が示す属性（種類）を、映像、音楽、音声、振動、発光等によりユーザ３に通知してもよい。出力部１５は、例えばＣＲＴ（Ｃａｔｈｏｄｅ  Ｒａｙ  Ｔｕｂｅ）ディスプレイ装置、液晶ディスプレイ（Ｌｉｑｕｉｄ  Ｃｒｙｓｔａｌ  Ｄｉｓｐｌａｙ）装置、スピーカー、振動モーター等により実現される。
【００５３】
（入力部）
入力部１６は、ユーザからのマーキング指示の入力を受け付ける機能を有する。例えば、入力部１６は、ボタン、キーボード、マウス等により実現される。そして、認識部１３は、例えば、ボタンを短押下された場合は「肯定的」属性、長押下された場合は「否定的」属性のブックマークを示すマーキング指示である、と認識してもよい。他にも、認識部１３は、ボタンが１回押下された場合に「肯定的」属性、２回押下された場合は「否定的」属性のブックマークを示すマーキング指示である、と認識してもよい。また、入力部１６は、出力部１５と一体的に構成されるタッチパネルにより実現されてもよい。
【００５４】
（補足）
なお、自動撮影装置１は、マーキングされた映像を、記憶部１２に記憶させるだけでなく、任意の外部装置に送信することもできる。そして、このような外部装置は、ブックマーク情報を参照して映像を再生・配信することができる。このような変形例について、図６を参照して説明する。
【００５５】
図６は、本実施形態に係る自動撮影装置１の動作の一例を説明するための説明図である。図６に示したように、自動撮影装置１は記憶部１２に記憶されたマーキングされた映像を、ネットワーク５を介してサーバ４に送信することができる。このとき、サーバ４は、自動撮影装置１より受信したマーキングされた映像を記憶する。そして、図示しない任意の情報処理装置は、ネットワーク５を介してサーバ４に接続することで、ブックマークを参照して映像を再生することができる。
【００５６】
＜２−２．マーキング動作の概要＞
以上、自動撮影装置１の構成について説明した。以下では、自動撮影装置１によるマーキング動作の概要について、図７を参照して説明する。なお、以下では、ブックマークの属性は、「これから／ここまで」、「肯定的／通常／否定的」、「自動／手動」の３種類を有するものとして説明する。また、ユーザ３の右手による親指を立てるジェスチャーを、「手動」「肯定的」「これから」属性を示すマーキング指示、ユーザ３の左手による親指を立てるジェスチャーを、「手動」「肯定的」「ここまで」属性を示すマーキング指示であるとして説明する。
【００５７】
図７は、本実施形態に係る自動撮影装置１によるマーキング動作の概要を説明するための説明図である。図７に示したように、自動撮影装置１により取得されたコンテンツは、様々な属性を有するブックマークによりマーキングされて、記憶部１２に記憶されている（４００）。また、マーキングされたブックマークは、ユーザ３がジェスチャーや入力部１６により入力した「手動」属性、および自動撮影装置１が自動で認識した「自動」属性の、少なくともいずれかを有する。
【００５８】
例えば、自動撮影装置１は、ユーザ３の右手による親指を立てるジェスチャーを認識して、その際に取得したコンテンツ４４１に、「手動」「肯定的」「これから」属性を有するブックマークをマーキングする。詳しくは、認識部１３は、ユーザ３が意識的にジェスチャーをしていることに基づいて「手動」属性を、親指を立てるジェスチャーに基づいて「肯定的」属性を、右手によるジェスチャーであることに基づいて「これから」属性を、それぞれ出力する。そして、制御部１４は、認識部１３より出力された「手動」「肯定的」「これから」属性を有するブックマークを、その際に取得したコンテンツ４４１にマーキングする。
【００５９】
そして、自動撮影装置１は、ユーザ３の左手による親指を立てるジェスチャーを認識して、その際に取得したコンテンツ４４４に、「手動」「肯定的」「ここまで」属性を有するブックマークをマーキングする。詳しくは、認識部１３は、ユーザ３が意識的にジェスチャーをしていることに基づいて「手動」属性を、親指を立てるジェスチャーに基づいて「肯定的」属性を、左手によるジェスチャーであることに基づいて「ここまで」属性を、それぞれ出力する。そして、制御部１４は、認識部１３より出力された「手動」「肯定的」「ここまで」属性を有するブックマークを、その際に取得したコンテンツ４４４にマーキングする。また、自動撮影装置１は日が落ちて輝度変化したことを認識して、その際に取得したコンテンツ４４４に、「自動」「通常」属性のブックマークをマーキングする。
【００６０】
また、自動撮影装置１は、雷鳴による音量変化を認識して、その際に取得したコンテンツ４４５に、「自動」「否定的」「これから」属性を有するブックマークをマーキングする。また、自動撮影装置１は、太陽が出たことによる輝度変化を認識して、その際に取得したコンテンツ４４７に、「自動」「通常」属性を有するブックマークをマーキングする。また、自動撮影装置１は、撮影部１０により撮影された人の笑顔を認識して、その際に取得したコンテンツ４４８に、「自動」「肯定的」「これから」属性を有するブックマークをマーキングする。
【００６１】
このようなブックマークに基づいて、出力部１５が「肯定的」属性を有するコンテンツのみを再生するよう、制御部１４により編集済みコンテンツが生成される。ここで、属性間には優先順位があってもよい。例えば、「手動」属性を有するブックマークは、ユーザ３による意識的なマーキング指示によりマーキングされるため、「自動」属性を有するブックマークよりも優先されてもよい。このため、編集済みコンテンツは、「肯定的」「ここまで」属性を有するコンテンツ４４１から「ここまで」属性を有するコンテンツ４４４まで、および「肯定的」属性を有するコンテンツ４４８を含む。
【００６２】
なお、ジェスチャーによるマーキング指示は、コンテンツ４４１、４４４で示したように、撮影部１０により撮影された映像に写り込むため、コンテンツ閲覧の邪魔になることが想定される。このため、自動撮影装置１は、「これから」属性を有するブックマークを、ジェスチャーによるマーキング指示を認識した時刻から所定時間経過後に取得したコンテンツにマーキングしてもよい。また、自動撮影装置１は、「ここまで」属性を有するブックマークを、ジェスチャーによるマーキング指示を認識した時刻から所定時間前に取得したコンテンツにマーキングしてもよい。つまり、自動撮影装置１は、コンテンツ４４２に「手動」「肯定的」「これから」属性を有するブックマークを、コンテンツ４４３に「手動」「肯定的」「ここまで」属性を有するブックマークを、それぞれマーキングしてもよい。
【００６３】
＜２−３．マーキング動作処理＞
以上、自動撮影装置１によるマーキング動作の概要について説明した。以下では、図８〜１０を参照して、マーキング動作処理について説明する。
【００６４】
図８は、本実施形態に係る自動撮影装置１の動作処理を示したフローチャートである。図８に示したように、自動撮影装置１は、ステップＳ１０４で手動マーキング処理、およびステップＳ１０８で自動マーキング処理を行う。ここで、ステップＳ１０４での手動マーキング処理は、ユーザ３によるジェスチャーまたは入力部１６への入力などの意識的なマーキング指示に基づくマーキング処理を示し、図９を参照して後述する。また、ステップＳ１０８での自動マーキング処理は、自動認識条件に基づくマーキング処理を示し、図１０を参照して後述する。
【００６５】
次に、ステップＳ１１２で、出力部１５は、認識部１３によりマーキング指示が認識され、制御部１４によりマーキングされたこと、およびマーキング指示が示す属性を、ユーザ３に通知する。詳しくは、出力部１５は、映像、画像、音楽、音声、振動、または発光等によりユーザ３に通知する。例えば、「肯定的」属性のブックマークがマーキングされた際、出力部１５は、お気に入りの音楽を流してもよいし、１回音を発してもよいし、１回振動してもよいし、所定の色（例えば緑色）で発光してもよい。一方で、「否定的」属性のブックマークがマーキングされた際、出力部１５は、２回音を発してもよいし、２回振動してもよいし、所定の色（例えば赤色）で発光してもよい。
【００６６】
そして、ステップＳ１１６で、制御部１４は、マーキング処理を終了するか否かを判定する。例えば、制御部１４は、自動撮影装置１の電源ＯＮ／ＯＦＦ、入力部１６にマーキング処理の終了指示を入力されたか否かに基づいて判定する。その後、終了しないと判定された場合（Ｓ１１６／Ｎｏ）には、処理は再度ステップＳ１０４、Ｓ１０８に進み、終了すると判定された場合（Ｓ１１６／Ｙｅｓ）には、処理は終了する。
【００６７】
（手動マーキング処理）
図９は、本実施形態に係る手動マーキング処理を示したフローチャートである。図９に示したように、まずステップＳ２０２で、認識部１３はマーキング指示を認識する。例えば、認識部１３は、ユーザ３によるジェスチャー、音声、入力部１６への入力に基づいて、マーキング指示を認識する。そして、認識部１３により認識されたマーキング指示が「マーキングキャンセル」属性を示さない場合（Ｓ２０４／Ｎｏ）、処理はステップＳ２０８に進む。
【００６８】
上記ステップＳ２０２で認識部１３により認識されたマーキング指示が「手動」属性を示し（Ｓ２０８／Ｙｅｓ）、且つ「これから」属性、または「ここまで」属性のいずれかを示さない場合（Ｓ２１２／Ｎｏ）、処理はステップＳ２１６に進む。そして、ステップＳ２１６で、制御部１４は撮影部１０により撮影された映像に「手動」属性を有するブックマークをマーキングして記憶部１２に記憶させる。このとき、制御部１４は、上記ステップＳ２０２で認識したマーキング指示が示すその他の属性を、合せて有するブックマークをマーキングしてもよい。
【００６９】
また、上記ステップＳ２０２で認識部１３により認識されたマーキング指示が「手動」属性を示し（Ｓ２０８／Ｙｅｓ）、且つ「これから」属性を示す場合（Ｓ２１２／Ｙｅｓ、Ｓ２２０／Ｙｅｓ）、処理はステップＳ２２４に進む。そして、ステップＳ２２４で、制御部１４は、撮影部１０の動作モードを、通常の動作モードよりも高品質なコンテンツを取得可能な動作モードである、高画質モードに切り替える。
【００７０】
例えば、制御部１４は、撮影部１０を高精度化、撮影した映像の圧縮率を低下、図示しない制振機構を起動、画像の撮影頻度の向上などを行ってもよい。他にも、撮影した映像にＧＰＳ情報を付加してもよい。また、コンテンツが音声である場合には、例えば、制御部１４は、マイク１１１が収音した音声の出力を、ＭＰ３（ＭＰＥＧ  Ａｕｄｉｏ  Ｌａｙｅｒ−３）規格からＤＳＤ（Ｄｉｒｅｃｔ  Ｓｔｒｅａｍ  Ｄｉｇｉｔａｌ）規格に切り替えてもよい。なお、撮影部１０は通常時は通常画質モードで撮影しているものとする。
【００７１】
続いて、ステップＳ２２８で、制御部１４は撮影部１０により高画質モードで撮影された映像に「手動」「これから」属性を有するブックマークをマーキングして記憶部１２に記憶させる。このとき、制御部１４は、上記ステップＳ２０２で認識したマーキング指示が示すその他の属性を、合せて有するブックマークをマーキングしてもよい。
【００７２】
一方で、上記ステップＳ２０２で認識部１３により認識されたマーキング指示が「手動」属性を示し（Ｓ２０８／Ｙｅｓ）、且つ「ここまで」属性を示す場合（Ｓ２１２／Ｙｅｓ、Ｓ２２０／Ｎｏ）、処理はステップＳ２３２に進む。そして、ステップＳ２３２で、制御部１４は、撮影部１０の動作モードを、通常画質モードに切り替える。ここで、これより前の時刻に、上記ステップＳ２２４で撮影部１０の動作モードが高画質モードに切り替えられていた場合には、制御部１４は、撮影部１０の動作モードを切り替え前の動作モードである通常画質モードに復帰させることになる。
【００７３】
続いて、ステップＳ２３６で、制御部１４は撮影部１０により通常画質モードで撮影された映像に「手動」「ここまで」属性を有するブックマークをマーキングして記憶部１２に記憶させる。このとき、制御部１４は、上記ステップＳ２０２で認識したマーキング指示が示すその他の属性を、合せて有するブックマークをマーキングしてもよい。
【００７４】
また、認識部１３により認識されたマーキング指示が「マーキングキャンセル」属性を示す場合（Ｓ２０４／Ｙｅｓ）、ステップＳ２４０で、上記ステップＳ２３２と同様、撮影部１０は動作モードを通常画質モードに切り替える。続いて、ステップＳ２２４で、制御部１４は、これより前にマーキングされたブックマークが存在する場合に、直前にマーキングされたブックマークを取り消す。このとき、取り消したブックマークが「これから」属性を有する場合には、制御部１４は、記憶部１２に記憶された、上記ステップＳ２２４により高画質モードで撮影された映像を、通常画質モードの映像と同等になるよう再処理してもよい。
【００７５】
（自動マーキング処理）
図１０は、本実施形態に係る自動マーキング処理を示したフローチャートである。図１０に示したように、まずステップＳ３０２で、認識部１３はマーキング指示を認識する。例えば、認識部１３は、自動撮影装置１は、加速度急変、音量急変、位置情報の変化、輝度変化、笑顔の検出等に基づいて、マーキング指示を認識する。
【００７６】
上記ステップＳ３０２で認識部１３により認識されたマーキング指示が「自動」属性を示し（Ｓ３０８／Ｙｅｓ）、且つ「これから」属性、または「ここまで」属性のいずれかを示さない場合（Ｓ３１２／Ｎｏ）、処理はステップＳ３１６に進む。そして、ステップＳ３１６で、制御部１４は撮影部１０により撮影された映像に「自動」属性を有するブックマークをマーキングして記憶部１２に記憶させる。このとき、制御部１４は、上記ステップＳ３０２で認識したマーキング指示が示すその他の属性、および上記ステップＳ３０２で認識した加速度急変や音量急変などの自動認識条件を、合せて有するブックマークをマーキングしてもよい。
【００７７】
また、上記ステップＳ３０２で認識部１３により認識されたマーキング指示が「自動」属性を示し（Ｓ３０８／Ｙｅｓ）、且つ「これから」属性を示す場合（Ｓ３１２／Ｙｅｓ、Ｓ３２０／Ｙｅｓ）、処理はステップＳ３２４に進む。そして、ステップＳ３２４で、制御部１４は、上記ステップＳ２２４と同様、撮影部１０の動作モードを、通常の動作モードよりも高品質なコンテンツを取得可能な動作モードである、高画質モードに切り替える。
【００７８】
続いて、ステップＳ３２８で、制御部１４は撮影部１０により高画質モードで撮影された映像に「自動」「これから」属性を有するブックマークをマーキングして記憶部１２に記憶させる。このとき、制御部１４は、上記ステップＳ３０２で認識したマーキング指示が示すその他の属性、および上記ステップＳ３０２で認識した加速度急変や音量急変などの自動認識条件を、合せて有するブックマークをマーキングしてもよい。
【００７９】
一方で、上記ステップＳ３０２で認識部１３により認識されたマーキング指示が「自動」属性を示し（Ｓ３０８／Ｙｅｓ）、且つ「ここまで」属性を示す場合（Ｓ３１２／Ｙｅｓ、Ｓ３２０／Ｎｏ）、処理はステップＳ３３２に進む。そして、ステップＳ３３２で、上記ステップＳ２３２と同様、制御部１４は、撮影部１０の動作モードを、通常画質モードに切り替える。続いて、ステップＳ３３６で、制御部１４は撮影部１０により通常画質モードで撮影された映像に「自動」「ここまで」属性を有するブックマークをマーキングして記憶部１２に記憶させる。このとき、制御部１４は、上記ステップＳ３０２で認識したマーキング指示が示すその他の属性、および上記ステップＳ３０２で認識した加速度急変や音量急変などの自動認識条件を、合せて有するブックマークをマーキングしてもよい。
【００８０】
（補足）
ブックマークには重みがあってもよい。例えば、制御部１４は、マーキング指示を認識した時刻に最も重みの高いブックマークをマーキングし、マーキング指示を認識した時刻から離れるほど低い重みのブックマークをマーキングしてもよい。他にも、制御部１４は、マーキング指示が示す属性に基づいて重みを変えてもよい。例えば、制御部１４は、「これから」属性のブックマークに、「ここまで」属性のブックマークよりも高い重みを与えてもよい。これらの重みは、ユーザ３によるコンテンツの閲覧時に参照されてもよい。
【００８１】
また、認識部１３が直前に認識したマーキング指示と同一属性を有するマーキング指示を認識した場合に、制御部１４は、高い重みのブックマークをマーキングしてもよい。例えば、認識部１３が「手動」「肯定的」属性を示すマーキング指示を重ねて認識した場合には、制御部１４は、ユーザ３が特に好む場面であるとして、「手動」「非常に肯定的」属性を示すブックマークをマーキングしてもよい。
【００８２】
また、認識部１３がユーザ３の音声をマーキング指示として認識した場合に、制御部１４は、認識部１３により認識されたユーザ３の音声によるマーキング指示を、マイク１１１により収音された音声から削除して、記憶部１２に記憶させてもよい。例えばユーザ３の「これから」という音声を認識してマーキングする際に、制御部１４は「これから」という音声を削除するよう信号処理してもよい。また、認識部１３が「見せたくない」属性を示すマーキング指示を認識した場合に、制御部１４は、撮影部１０により撮影された映像を削除して音声のみを記憶部１２に記憶させてもよい。他にも、認識部１３が例えば「聞かせたくない」属性を示すマーキング指示を認識した場合に、制御部１４は、マイク１１１により収音された音声を削除して、撮影部１０により撮影された映像のみを記憶部１２に記憶させてもよい。
【００８３】
また、制御部１４は、上記自動マーキング処理においてマーキングしたブックマークに含まれる自動認識条件に基づいて、記憶部１２に記憶されたコンテンツにマーキングされたブックマークを変更してもよい。より詳しくは、図４で示した自動認識条件の設定が変更された場合に、変更された設定に基づいてブックマークの属性を更新してもよい。例えば、図４において、輝度変化を検出した場合に「肯定的」属性を有するブックマークがマーキングされるよう設定を変更すると、制御部１４は、図７のコンテンツ４４７にマーキングされたブックマークを、「自動」「肯定的」属性に更新してもよい。
【００８４】
＜２−４．効果＞
以上説明したように、自動撮影装置１は、コンテンツを撮影すると同時、または略同時に、コンテンツにブックマークをマーキングすることができる。このため、ユーザ３は、ブックマークを参照してコンテンツを再生することで、特定場面のみを閲覧することができる。また、自動撮影装置１は、マーキングすると共に撮影部１０の動作モードを高画質モードに切り替えることが出来るので、ユーザ３は、特定場面を通常よりも高画質な映像で閲覧することができる。また、自動撮影装置１は、高音質モードに切り替えることもできるので、ユーザ３は、特定場面を通常よりも高音質で聴くこともできる。
【００８５】
また、自動撮影装置１は、多様な属性を有するブックマークをマーキングすることができるため、多様な属性に基づいてコンテンツを編集することができる。例えば、自動撮影装置１は、「肯定的」属性を有するブックマークがマーキングされたコンテンツのみを集めた名場面集や、「否定的」属性を有するブックマークがマーキングされたコンテンツのみを集めたＮＧ集を編集することができる。
【００８６】
また、自動撮影装置１は、マーキング指示が認識されコンテンツにマーキングされたこと、およびマーキング指示が示す属性を、出力部１５によりユーザ３に通知することができる。このため、ユーザ３は、通知内容に不満がある場合に、「マーキングキャンセル」属性を示すマーキング指示によってブックマークを削除することができる。このように、自動撮影装置１は、ユーザ３への通知によりマーキングの誤作動を防止することができる。
【００８７】
＜＜３．まとめ＞＞
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８８】
なお、以下のような構成も本開示の技術的範囲に属する。
（１）
コンテンツを取得する取得部と、
前記取得部による前記コンテンツの取得の際に、少なくとも２種類のブックマーク指示を認識する認識部と、
前記認識部により第１のブックマーク指示が認識された場合に、対応する時刻に前記取得部により取得された前記コンテンツに前記コンテンツの再生時のしおりとなるブックマークを付与し、前記認識部により第２のブックマーク指示が認識された場合に、対応する時刻に前記取得部により取得された前記コンテンツに前記ブックマークを付与すると共に、前記取得部の動作モードを切り替える制御部と、
を備えるコンテンツ取得装置。
（２）
前記制御部は、前記認識部により前記第２のブックマーク指示が認識された場合に、前記取得部の動作モードを、通常の動作モードよりも高品質なコンテンツを取得可能な動作モードに切り替える、前記（１）に記載のコンテンツ取得装置。
（３）
前記コンテンツ取得装置は、前記認識部により認識された前記ブックマーク指示の種類を出力する出力部をさらに備える、前記（１）または（２）に記載のコンテンツ取得装置。
（４）
前記制御部は、前記取得部の動作モードを切り替えた後、前記認識部により所定のブックマーク指示が認識された場合に、前記動作モードを切り替え前の動作モードに復帰させる、前記（１）〜（３）のいずれか一項に記載のコンテンツ取得装置。
（５）
前記制御部は、前記認識部により前記ブックマーク指示が認識され、前記コンテンツに前記ブックマークを付与した後に、前記認識部により所定のブックマーク指示が認識された場合に、当該ブックマークを削除する、前記（１）〜（４）のいずれか一項に記載のコンテンツ取得装置。
（６）
前記制御部は、前記認識部により第２のブックマーク指示が認識された時刻から所定時間経過後に前記取得部により取得された前記コンテンツに、前記ブックマークを付与する、前記（１）〜（５）のいずれか一項に記載のコンテンツ取得装置。
（７）
前記制御部は、前記認識部により前記第１のブックマーク指示が認識された時刻から所定の時間前の時刻に前記取得部により取得された前記コンテンツに、前記ブックマークを付与する、前記（１）〜（３）のいずれか一項に記載のコンテンツ取得装置。
（８）
前記認識部は、前記第１のブックマーク指示および第２のブックマーク指示が、肯定的ブックマークまたは否定的ブックマークのどちらのブックマークの付与を指示するブックマーク指示であるかをさらに認識し、
前記制御部は、前記認識部による認識結果に応じて、前記コンテンツに前記肯定的ブックマークまたは前記否定的ブックマークを付与する、前記（１）〜（７）のいずれか一項に記載のコンテンツ取得装置。
（９）
前記コンテンツ取得装置は、前記認識部により認識された前記ブックマーク指示の種類を出力する出力部をさらに備え
前記出力部は、前記第１のブックマーク指示および第２のブックマーク指示が、前記肯定的ブックマークまたは前記否定的ブックマークのどちらのブックマークの付与を指示するブックマーク指示であるかを出力する、前記（８）に記載のコンテンツ取得装置。
（１０）
前記認識部は、前記取得部による前記コンテンツの取得の際に、リアルタイムで取得される撮像画像に映るジェスチャーに基づいて、前記ブックマーク指示を認識する、前記（１）〜（９）のいずれか一項に記載のコンテンツ取得装置。
（１１）
前記認識部は、前記取得部による前記コンテンツの取得の際に、リアルタイムで取得される音声の認識結果に基づいて、前記ブックマーク指示を認識する、前記（１）〜（１０）のいずれか一項に記載のコンテンツ取得装置。
（１２）
前記認識部は、前記取得部による前記コンテンツの取得の際に、リアルタイムで取得されるユーザ操作に基づいて、前記ブックマーク指示を認識する、前記（１）〜（１１）のいずれか一項に記載のコンテンツ取得装置。
（１３）
前記認識部は、前記取得部による前記コンテンツの取得の際に、リアルタイムで取得される加速度の変化に基づいて、前記ブックマーク指示を認識する、前記（１）〜（１２）のいずれか一項に記載のコンテンツ取得装置。
（１４）
コンピュータに、
コンテンツを取得するステップと、
前記コンテンツの取得の際に、少なくとも２種類のブックマーク指示を認識するステップと、
第１のブックマーク指示が認識された場合に、対応する時刻に取得された前記コンテンツに前記コンテンツの再生時のしおりとなるブックマークを付与し、第２のブックマーク指示が認識された場合に、対応する時刻に取得された前記コンテンツに前記ブックマークを付与すると共に、前記コンテンツを取得する取得部の動作モードを切り替えるステップと、
を実行させるためのプログラム。
（１５）
コンテンツを取得する取得部と、
前記取得部により所定のコンテンツが取得される前段階であることを認識する認識部と、
前記認識部により前記所定のコンテンツが取得される前段階であることが認識された場合に、対応する時刻に前記取得部により取得された前記コンテンツに前記コンテンツの再生時のしおりとなるブックマークを付与すると共に、前記取得部の動作モードを切り替える制御部と、
を備えるコンテンツ取得装置。
【符号の説明】
【００８９】
１    自動撮影装置
１０  撮影部
１１  センサ部
１１１  マイク
１１２  ＧＰＳ部
１１３  速度センサ
１２  記憶部
１３  認識部
１４  制御部
１５  出力部
１５−１  表示部
１６  入力部
１９  バス
３    ユーザ
４    サーバ
５    ネットワーク
【図１】
2014086849.tif 000003
【図２】
2014086849.tif 000004
【図３】
2014086849.tif 000005
【図４】
2014086849.tif 000006
【図５】
2014086849.tif 000007
【図６】
2014086849.tif 000008
【図７】
2014086849.tif 000009
【図８】
2014086849.tif 000010
【図９】
2014086849.tif 000011
【図１０】
2014086849.tif 000012